(57)【特許請求の範囲】
【請求項１】
電動モータと、この電動モータの動力を減速して駆動輪に伝達する減速機とを備え、減速機は、モータ軸から動力が伝達される入力歯車を有する入力歯車軸と、駆動輪に駆動力を伝達する出力歯車を有する出力歯車軸と、入力歯車軸と出力歯車軸との間に設けられる中間歯車を有する１つ以上の中間歯車軸とを平行に配置して減速機ケーシング内に収容され、前記全ての歯車軸が前記ケーシングに設けられた軸受嵌合穴に嵌合された転がり軸受を介して支持される車両駆動装置において、
前記減速機ケーシングの内壁面に設けられた肉ぬすみにより複数の隔壁が形成され、前記軸受嵌合穴より上側に位置する隔壁の少なくとも一つの隔壁の軸受嵌合穴側且つ歯車の噛み合いによって前記転がり軸受に作用する荷重の作用線と交差しない位置に切り欠きを設け、この切り欠きから前記肉ぬすみに溜まった潤滑油を、前記転がり軸受側に排出することを特徴とする車両駆動装置。
【請求項２】
前記減速機を収容する空間と前記軸受嵌合穴の内部空間とを連通する連通溝が設けられ、前記隔壁に設けられた切り欠きから排出される潤滑油が前記連通溝を介して供給されることを特徴とする請求項１に記載の車両駆動装置。
【請求項３】
前記連通溝を、歯車の噛み合いによって前記転がり軸受に作用する荷重の作用線と交差しない位置に設けることを特徴とする請求項２に記載の車両駆動装置。
【請求項４】
前記連通溝より上方に位置する前記隔壁に前記切り欠きを設けたことを特徴とする請求項２又は３に記載の車両駆動装置。
【請求項５】
前記減速機ケーシングの内壁面の前記肉ぬすみ内に潤滑油が留まらないように、前記肉ぬすみの下部をテーパー形状に形成したことを特徴とする請求項１又は２に記載の車両駆動装置。
【発明の詳細な説明】
【技術分野】
【０００１】
この発明は、電動モータと、この電動モータの動力を減速して駆動輪に伝達する減速機とを備えた車両駆動装置に関するものである。
【背景技術】
【０００２】
車両駆動装置として、左右の駆動輪をそれぞれ独立して駆動させる２基の電動モータと減速機を備えるものが特許文献１に開示されている。
【０００３】
この種の車両駆動装置は、左右の駆動輪のそれぞれについて独立に駆動用の電動モータを備えるので、一つの共通の電動モータによって左右の駆動輪を駆動させる１モータ車両駆動装置のように、一つの電動モータの駆動力を左右に振り分けるデファレンシャルギア等が不要になる、という利点を有する。
【０００４】
特許文献１に開示された従来の２基の電動モータと減速機を備えた車両駆動装置は、図１０に示すように、左右の駆動輪を個別に駆動する左右の電動モータ１０１Ｌ、１０１Ｒと電動モータ１０１Ｌ、１０１Ｒの回転を減速する減速機１０２Ｌ、１０２Ｒを備え、左右の電動モータ１０１Ｌ、１０１Ｒの中央に減速機１０２Ｌ、１０２Ｒを配置している。
【０００５】
減速機１０２Ｌ、１０２Ｒは、図１０に示すように、モータ軸１１２から動力が伝達される入力歯車を有する入力歯車軸１２３と、等速ジョイント１２６および中間シャフト１２７からなるドライブシャフトを介して駆動輪に駆動力を伝達する出力歯車軸１２５とを備え、入力歯車軸１２３と出力歯車軸１２５とが平行かつオフセットした配置の平行軸歯車減速機である。
【０００６】
減速機１０２Ｌ、１０２Ｒの入力歯車軸１２３と出力歯車軸１２５との間には、１つ以上の中間歯車軸１２４（カウンター軸）が設けられる。
【０００７】
そして、左右の減速機１０２Ｌ、１０２Ｒは、一室の減速機ケーシング１２８内に並列に収容されている。
【０００８】
この減速機ケーシング１２８内には、左右の減速機１０２Ｌ、１０２Ｒを構成する歯車列を潤滑するために、所定量の潤滑油が封入されている。そして、歯車の動作により、潤滑油がはね掛け上げられ、その際に生じる油飛沫が減速機の各歯車の歯面や転がり軸受に供給される。
【０００９】
歯車によってはね掛け上げられた潤滑油は、各歯車や転がり軸受に効率よく供給するのが望ましい。また、はね掛け上げられた潤滑油は、歯車や転がり軸受に流れたもの以外は、減速機ケーシングの内壁面に飛散し、内壁面に沿って流れ落ちる。
【００１０】
ところで、減速機ケーシングは、軽量化のために内壁面に複数の肉ぬすみを設けて肉厚を薄くし、そして、剛性確保のために、肉ぬすみの間には隔壁が設けられている。
【先行技術文献】
【特許文献】
【００１１】
【特許文献１】特開平１１−２４３６６４号公報
【発明の概要】
【発明が解決しようとする課題】
【００１２】
減速機ケーシングの内壁面に飛散した潤滑油は、壁面に沿って流れ落ちるが、内壁面の肉ぬすみの中に潤滑油が溜まってしまい、潤滑油を有効に利用することができないという難点があった。
【００１３】
そこで、この発明は、減速機ケーシングの内壁面に肉ぬすみに溜まった潤滑油を転がり軸受に効率よく供給することができる車両駆動装置を提供することを課題とするものである。
【課題を解決するための手段】
【００１４】
前記の課題を解決するために、この発明は、電動モータと、この電動モータの動力を減速して駆動輪に伝達する減速機とを備え、減速機は、モータ軸から動力が伝達される入力歯車を有する入力歯車軸と、駆動輪に駆動力を伝達する出力歯車を有する出力歯車軸と、入力歯車軸と出力歯車軸との間に設けられる中間歯車を有する１つ以上の中間歯車軸とを平行に配置して減速機ケーシング内に収容され、前記全ての歯車軸が前記ケーシングに設けられた軸受嵌合穴に嵌合された転がり軸受を介して支持される車両駆動装置において、前記減速機ケーシングの内壁面に設けられた肉ぬすみにより複数の隔壁が形成され、前記軸受嵌合穴より上側に位置する隔壁の少なくとも一つの隔壁の軸受嵌合穴側且つ歯車の噛み合いによって前記転がり軸受に作用する荷重の作用線と交差しない位置に切り欠きを設け、この切り欠きから前記肉ぬすみに溜まった潤滑油を、前記転がり軸受側に排出することを特徴とする。
【００１５】
また、前記減速機を収容する空間と前記軸受嵌合穴の内部空間とを連通する連通溝が設けられ、前記隔壁に設けられた切り欠きから排出される潤滑油が前記連通溝を介して供給するように構成するとよい。
【００１７】
また、前記連通溝より上方に位置する前記隔壁に前記切り欠きを設けるとよい。
【００１８】
また、記減速機ケーシングの内壁面の前記肉ぬすみ内に潤滑油が留まらないように、前記肉ぬすみの下部をテーパー形状に形成するとよい。
【発明の効果】
【００１９】
以上のように、この発明は、減速機ケーシングの内壁面に設けられた肉ぬすみにより複数の隔壁が形成され、前記軸受嵌合穴より上側に位置する隔壁の少なくとも一つの隔壁の軸受嵌合穴側に切り欠きを設け、この切り欠きから前記肉ぬすみに溜まった潤滑油を、前記転がり軸受側に排出することにより、潤滑油を効率よく転がり軸受に供給することができる。
【図面の簡単な説明】
【００２０】
【図１】この発明を適用した車両駆動装置の実施形態を示す横断平面図である。
【図２】図１の減速機部分の拡大横断平面図である。
【図３】この発明に係る車両駆動装置を使用する電気自動車の一例を示す概略平面図である。
【図４】図１の実施形態の平面図である。
【図５】図１のＶ−Ｖ線で断面にした説明図である。
【図６】図１の実施形態の歯車列を軸方向から見た説明図である。
【図７】図５のＶＩＩ−ＶＩＩ線で断面にした説明図である。
【図８】図７の破線で囲んだ領域ＶＩＩＩ部分の拡大図である、
【図９】図１の破線で囲んだ領域ＩＶ部分の拡大図である。
【図１０】従来の２モータ式の車両駆動装置を示す横断平面図である。
【発明を実施するための形態】
【００２１】
以下、この発明の実施の形態を添付図面に基づいて説明する。
図１に示す２モータ式の車両駆動装置Ａは、２基の減速機２Ｌ、２Ｒを左右並列に収容する減速機ケーシング２０を中央にし、その減速機ケーシング２０の左右に２基の電動モータ１Ｌ、１Ｒのモータケーシング３Ｌ、３Ｒを固定配置したものである。
【００２２】
図３に示す電気自動車Ｃは、前輪駆動方式であり、シャーシ５１と、駆動輪としての前輪５２と、後輪５３と、左右の駆動輪をそれぞれに独立に駆動する２モータ式の車両駆動装置Ａとを備え、２モータ式の車両駆動装置Ａは、駆動輪である左右の前輪５２の中央位置のシャーシ５１上に搭載され、２モータ式の車両駆動装置Ａの駆動力は、等速ジョイント１５と中間シャフト１６を介して左右の駆動輪である前輪５２に伝達される。
【００２３】
なお、２モータ式の車両駆動装置Ａの搭載形態としては、図３に示す前輪駆動方式の他、後輪駆動方式、四輪駆動方式でもよい。
【００２４】
２モータ式の車両駆動装置Ａにおける左右の電動モータ１Ｌ、１Ｒは、図１に示すように、モータケーシング３Ｌ、３Ｒ内に収容されている。
【００２５】
モータケーシング３Ｌ、３Ｒは、円筒形のモータケーシング本体３ａＬ、３ａＲと、このモータケーシング本体３ａＬ、３ａＲの外側面を閉塞する外側壁３ｂＬ、３ｂＲと、モータケーシング本体３ａＬ、３ａＲの内側面に減速機２Ｌ、２Ｒと隔てる内側壁３ｃＬ、３ｃＲとからなる。モータケーシング本体３ａＬ、３ａＲの内側壁３ｃＬ、３ｃＲには、モータ軸１２ａを引き出す開口部が設けられている。
【００２６】
電動モータ１Ｌ、１Ｒは、図１に示すように、モータケーシング本体３ａＬ、３ａＲの内周面にステータ１１を設け、このステータ１１の内周に間隔をおいてロータ１２を設けたラジアルギャップタイプのものを使用している。なお、電動モータ１Ｌ、１Ｒは、アキシャルギャップタイプのものを使用してもよい。
【００２７】
ロータ１２は、モータ軸１２ａを中心部に有し、そのモータ軸１２ａはモータケーシング本体３ａＬ、３ａＲの内側壁３ｃＬ、３ｃＲの開口部からそれぞれ減速機２Ｌ、２Ｒ側に引き出されている。モータケーシング本体３ａＬ、３ａＲの開口部とモータ軸１２ａとの間にはシール部材１３が設けられている。
【００２８】
モータ軸１２ａは、モータケーシング本体３ａＬ、３ａＲの内側壁３ｃＬ、３ｃＲと外側壁３ｂＬ、３ｂＲとに転がり軸受１４ａ、１４ｂによって回転自在に支持されている（図１）。
【００２９】
左右並列に設けられた２基の減速機２Ｌ、２Ｒを収容する減速機ケーシング２０は、図１および図４に示すように、中央ケーシング２０ａとこの中央ケーシング２０ａの両側面に固定される左右の側面ケーシング２０ｂＬ、２０ｂＲの３ピース構造になっている。左右の側面ケーシング２０ｂＬ、２０ｂＲは、中央ケーシング２０ａの両側の開口部に複数のボルト２６Ｌ，２６Ｒによって固定されている。
【００３０】
減速機ケーシング２０の側面ケーシング２０ｂＬ、２０ｂＲのアウトボード側（車体外側）の側面と電動モータ１Ｌ、１Ｒのモータケーシング本体３ａＬ、３ａＲの内側壁３ｃＬ、３ｃＲとを、複数のボルト２９によって固定することにより、減速機ケーシング２０の左右に２基の電動モータ１Ｌ、１Ｒが固定配置される（図１、図４）。
【００３１】
中央ケーシング２０ａには、図１に示すように、中央に仕切り壁２１が設けられている。減速機ケーシング２０は、この仕切り壁２１によって左右に２分割され、２基の減速機２Ｌ、２Ｒを収容する独立した左右の収容室が並列に設けられている。
【００３２】
減速機２Ｌ、２Ｒは、図１に示すように、左右対称形に設けられ、モータ軸１２ａから動力が伝達される入力歯車２３ａを有する入力歯車軸２３Ｌ、２３Ｒと、この入力歯車２３ａに噛み合う大径歯車２４ａと出力歯車２５ａに噛み合う小径歯車２４ｂを有する中間歯車軸２４Ｌ、２４Ｒと、出力歯車２５ａを有し、減速機ケーシング２０から引き出されて等速ジョイント１５、中間シャフト１６（図３）を介して駆動輪に駆動力を伝達する出力歯車軸２５Ｌ、２５Ｒとを備える平行軸歯車減速機である。左右２基の減速機２Ｌ、２Ｒの各入力歯車軸２３Ｌ、２３Ｒ、中間歯車軸２４Ｌ、２４Ｒ、出力歯車軸２５Ｌ、２５Ｒは、それぞれ同軸上に配置されている。
【００３３】
減速機２Ｌ、２Ｒの入力歯車軸２３Ｌ、２３Ｒの両端は、中央ケーシング２０ａの仕切り壁２１の左右両面に形成した軸受嵌合穴２７ａと側面ケーシング２０ｂＬ、２０ｂＲに形成した軸受嵌合穴２７ｂに転がり軸受２８ａ、２８ｂを介して回転自在に支持されている。軸受嵌合穴２７ａ、２７ｂの底部は、転がり軸受２８ａ、２８ｂの外輪が当接する壁部より内周側は肉厚が薄く形成されて段付き形状になっている。
【００３４】
入力歯車軸２３Ｌ、２３Ｒのアウトボード側の端部は、側面ケーシング２０ｂＬ、２０ｂＲに設けた開口部２７ｃから外側に引き出されており、開口部２７ｃと入力歯車軸２３Ｌ、２３Ｒの外側端部との間にはオイルシール３１を設け、減速機２Ｌ、２Ｒに封入された潤滑油の漏洩および外部からの泥水などの浸入を防止している。
【００３５】
モータ軸１２ａは中空構造であり、この中空のモータ軸１２ａに、入力歯車軸２３Ｌ、２３Ｒが挿入される。入力歯車軸２３Ｌ、２３Ｒとモータ軸１２ａとは、スプライン（セレーションも含む以下同じ）結合されている。
【００３６】
中間歯車軸２４Ｌ、２４Ｒは、外周面に入力歯車２３ａに噛み合う大径歯車２４ａと出力歯車２５ａに噛み合う小径歯車２４ｂを有する段付き歯車軸である。この中間歯車軸２４Ｌ、２４Ｒの両端は、中央ケーシング２０ａの仕切り壁２１の両面に形成した軸受嵌合穴３２ａと側面ケーシング２０ｂＬ、２０ｂＲに形成した軸受嵌合穴３２ｂとに転がり軸受３４ａ、３４ｂを介して支持されている。そして、軸受嵌合穴３２ａ、３２ｂの底部は、転がり軸受３４ａ、３４ｂの外輪が当接する壁部より内周側は肉厚が薄く形成されて段付き形状になっている。
【００３７】
出力歯車軸２５Ｌ、２５Ｒは、大径の出力歯車２５ａを有し、中央ケーシング２０ａの仕切り壁２１の両面に形成した軸受嵌合穴３５ａと側面ケーシング２０ｂＬ、２０ｂＲに形成した軸受嵌合穴３５ｂに転がり軸受３７ａ、３７ｂによって支持されている。そして、軸受嵌合穴３５ａ、３５ｂの底部は、転がり軸受３７ａ、３７ｂの外輪が当接する壁部より内周側は肉厚が薄く形成されて段付き形状になっている。
【００３８】
出力歯車軸２５Ｌ、２５Ｒのアウトボード側の端部は、側面ケーシング２０ｂＬ、２０ｂＲに形成した開口部３５ｃから減速機ケーシング２０の外側に引き出され、引き出された出力歯車軸２５Ｌ、２５Ｒのアウトボード側の端部の外周面に、等速ジョイント１５の外側継手部１５ａがスプライン結合されている。
【００３９】
出力歯車軸２５Ｌ、２５Ｒに結合された等速ジョイント１５は、中間シャフト１６を介して駆動輪５２に接続される（図３）。
【００４０】
出力歯車軸２５Ｌ、２５Ｒのアウトボード側の端部と側面ケーシング２０ｂＬ、２０ｂＲに形成した開口部３５ｃとの間には、オイルシール３９を設け、減速機２Ｌ、２Ｒに封入された潤滑油の漏洩および外部からの泥水などの侵入を防止している。
【００４１】
図９は、中間歯車軸２４Ｌについて示しているが、中間歯車軸２４Ｌを含め、入力歯車軸２３Ｌ、２３Ｒ、中間歯車軸２４Ｒ、出力歯車軸２５Ｌ、２５Ｒの両端部には、転がり軸受２８ａ、２８ｂ、３４ａ、３４ｂ、３７ａ、３７ｂの内輪４０が嵌め込まれ、そして、転がり軸受２８ａ、２８ｂ、３４ａ、３４ｂ、３７ａ、３７ｂの外輪４１は中央ケーシング２０ａの軸受嵌合穴２７ａ、３２ａ、３５ａと、側面ケーシング２０ｂＬ、２０ｂＲの軸受嵌合穴２７ｂ、３２ｂ、３５ｂと、に嵌め込まれている。
【００４２】
転がり軸受２８ａ、２８ｂ、３４ａ、３４ｂ、３７ａ、３７ｂの内輪４０と各歯車軸２３Ｌ、２３Ｒ、２４Ｌ、２４Ｒ、２５Ｌ、２５Ｒは、回転中心で回転できるように、締め代を持って嵌合（タイト嵌合）しており、転がり軸受２８ａ、２８ｂ、３４ａ、３４ｂ、３７ａ、３７ｂの外輪４１と軸受嵌合穴２７ａ、３２ａ、３５ａ２７ｂ、３２ｂ、３５ｂは、各歯車軸の組み込み作用が容易となるように隙間を持って嵌合（ルーズ嵌合）している。そして、軸受嵌合穴２７ａ、３２ａ、３５ａ、２７ｂ、３２ｂ、３５ｂと転がり軸受の外輪４１との間は、数１０μｍの隙間がある。
【００４３】
このような隙間を有する嵌合の場合には、軸受嵌合穴２７ａ、３２ａ、３５ａ、２７ｂ、３２ｂ、３５ｂの摩耗を防ぐために、この隙間に十分な潤滑油を供給する必要がある。そこで、この実施形態では、軸受嵌合穴２７ａ、３２ａ、３５ａ、２７ｂ、３２ｂ、３５ｂと転がり軸受の外輪４１との間に積極的に潤滑油を供給するように構成している。
【００４４】
油浴方式では、減速機ケーシング２０の下部に滞留する潤滑油が歯車によってはねかけ上げられ、その際に生じる油飛沫が歯面や転がり軸受に供給される。そして、軸受内部に潤滑油を供給するためには、軸受内部に、軸方向に貫通する油の流れを生じさせることが効果的である。
【００４５】
そこで、この実施形態では、この流れを生じさせるための構造を採用している。図１の破線ＩＶで囲んだ部分を拡大した図９に示すように、転がり軸受３４ｂが嵌合する軸受嵌合穴３２ｂの内周面に、減速機を収容するケーシング２０内の空間Ｇ１と軸受嵌合穴３２ｂの内部空間Ｇ２とを連通する少なくとも１つの溝４５が設けられている。すなわち、図９に示すように、転がり軸受３４ｂを境にギヤ等が存在するケーシング２０のギヤ空間Ｇ１と、ケーシング２０の側面ケーシング２０ｂＬに設けた軸受嵌合穴３２ｂによって閉鎖される空間を内部空間Ｇ２とすると、転がり軸受３４ｂの外輪４１が嵌合する側面ケーシング２０ｂＬに設けた軸受嵌合穴３２ｂの内周面に、ギヤ空間Ｇ１と内部空間Ｇ２を連通させる連通溝４５を１つ以上設けている。
【００４６】
この連通溝４５により、連通溝４５から流入した油が内部空間Ｇ２を経由して転がり軸受３４ｂの内部空間を通り排出される流れ、又は転がり軸受３４ｂから流入した油が内部空間Ｇ２を経由して連通溝４５を通り排出される流れが生じる。そして、連通溝４５から流入した潤滑油は、軸受嵌合穴３２ｂと転がり軸受３４ｂの外輪４１との間に積極的に供給される。
【００４７】
尚、説明を簡単にするため、転がり軸受２８ａ、２８ｂ、３４ａ、３４ｂ、３７ａ、３７ｂの構成部品である内輪４０、外輪４１、転動体４２及び連通溝４５は符号を共通にしている。
【００４８】
上記したように、減速機ケーシング２０は、軽量化のために複数の肉ぬすみ２０ｅを設けて肉厚を薄くし、そして、剛性確保のために、肉ぬすみ２０ｅの間には隔壁２０ｃが設けられている。図５は、中央ケーシング２０ａを示しているが、側面ケーシング２ｂＬ、２ｂＲも同様に、肉ぬすみ２０ｅと隔壁２０ｃが設けられている。減速機ケーシング２０の内壁面に飛散した潤滑油は、内壁面に沿って流れ落ちるが、内壁面の肉ぬすみ２０ｅの中に潤滑油が溜まる。
【００４９】
そこで、この実施形態では、肉ぬすみ２０ｅに留まる潤滑油を転がり軸受２８ａ、３４ａ、３７ａに供給する切り欠き２０ｄを軸受嵌合穴３５ａ、３２ａ、２７ａより上側に位置する隔壁２０ｃに形成し、切り欠き２０ｄから排出された潤滑油が連通溝４５に案内され、連通溝４５から転がり軸受２８ａ、３４ａ、３７ａ、に潤滑油を供給する。
【００５０】
軸受嵌合穴２７ａには、上部の３つの肉ぬすみ２０ｅに溜まった潤滑油が切り欠き２０ｄを介して供給される。すなわち、図中２０ｅ１に溜まった潤滑油は、切り欠き２０ｄから隣の肉ぬすみ２０ｅ２に送られ、肉ぬすみ２０ｅに溜まった潤滑油と共に切り欠き２０ｄから隣の肉ぬすみ２０ｅ３に送られる。そして、肉ぬすみ２０ｅに設けられた切り欠き２０ｄは、連通溝４５に繋がり、この切り欠き２０ｄから３つの肉ぬすみ２０ｅ１、２０ｅ２、２０ｅ３に溜まった潤滑油が連通溝４５から転がり軸受２８ａに供給される。
【００５１】
軸受嵌合穴３２ａには、上部の４つの肉ぬすみ２０ｅに溜まった潤滑油が切り欠き２０ｄを介して供給される。すなわち、図中２０ｅ４に溜まった潤滑油は、切り欠き２０ｄから隣の肉ぬすみ２０ｅ６に送られ、肉ぬすみ２０ｅ５に溜まった潤滑油は切り欠き２０ｄから下の肉ぬすみ２０ｅ６に送られる。そして、肉ぬすみ２０ｅ４と肉ぬすみ２０ｅ５から送られてきた潤滑油は肉ぬすみ２０ｅ６に溜まった潤滑油と共に切り欠き２０ｄから隣の肉ぬすみ２０ｅ７に送られる。肉ぬすみ２０ｅ７に設けられた切り欠き２０ｄは、連通溝４５に繋がり、この切り欠き２０ｄから４つの肉ぬすみ２０ｅ４、２０ｅ５、２０ｅ６、２０ｅ７に溜まった潤滑油が連通溝４５から転がり軸受３４ａに供給される。
【００５２】
軸受嵌合穴３５ａには、上部の３つの肉ぬすみ２０ｅに溜まった潤滑油が切り欠き２０ｄを介して供給される。すなわち、図中２０ｅ８に溜まった潤滑油は、切り欠き２０ｄから隣の肉ぬすみ２０ｅ９に送られ、肉ぬすみ２０ｅに溜まった潤滑油と共に切り欠き２０ｄから隣の肉ぬすみ２０ｅ１０に送られる。そして、肉ぬすみ２０ｅ１０に設けられた切り欠き２０ｄは、連通溝４５に繋がり、この切り欠き２０ｄから３つの肉ぬすみ２０ｅ８、２０ｅ９、２０ｅ１０に溜まった潤滑油が連通溝４５から転がり軸受３７ａに供給される。
【００５３】
このように、肉ぬすみ２０ｅに溜まっている潤滑油を転がり軸受側に流し、油浴循環によって、歯車や転がり軸受に効率よく潤滑油を供給することができる。
【００５４】
連通溝４５から潤滑油を供給するので、切り欠き２０ｄは、連通溝４５より上方の隔壁２０ｃに設けている。そして、隔壁２０ｃは、剛性確保のために設けられているので、後述する軸受に作用する荷重の作用線上の応力負荷域を避けた位置に設けることが好ましい。
【００５５】
図７に示すように、肉ぬすみ２０ｅの下方部は溜まった潤滑油が流れ出やすいようにテーパー形状に形成している。このテーパーの角度αは、５度から１０度程度にすれば良い。通常、鋳造品では、抜き勾配が１．５度程度であるが、それよりも大きなテーパー角度αにし、潤滑油の流れ出しを良好にしている。肉ぬすみ２０の下方部のテーパーは、ケーシングに必要な抜き勾配以上であるので、コストアップの懸念はない。
【００５６】
図８の拡大図に示す切り欠き２０ｄの切り込み深さＭ、長さＮの大きさにつき説明する。切り欠き２０ｄの切り込み深さＭは３ｍｍ以上で隔壁２０ｃの強度を保つ範囲でできるだけ大きくする方が潤滑油を効率よく排出することができる。同様に、切り欠き２０ｄの長さＮは３ｍｍ以上で隔壁２０ｃの強度を保つ範囲でできるだけ大きくする方が潤滑油を効率よく排出することができる。
【００５７】
図５においては、便宜上、中央ケーシング２０ａの軸受嵌合穴２７ａ、３２ａ、３５ａについて説明したが、側面ケーシング２０ｂＬ、２０ｂＲの軸受嵌合穴２７ｂ、３２ｂ、３５ｂにも同様に、各軸受嵌合穴の内周面に、ギヤ空間Ｇ１と内部空間Ｇ２を連通させる連通溝４５を１つ以上設けている。そして、隔壁２０ｃに切り欠き２０ｄを設け、切り欠き２０ｄから排出された潤滑油が連通溝４５に案内され、連通溝４５から転がり軸受２８ｂ、３４ｂ、３７ｂに潤滑油を供給する。
【００５８】
ところで、ケーシング２０の軸受嵌合穴の内周面、すなわち、転がり軸受の外輪が嵌合する面に上記の連通溝４５を設ける場合、転動体４２がこの連通溝４５の位相を通過する際、転動体４２を介して外輪４１に作用する荷重により外輪４１が変形する虞がある。この外輪４１の変形に伴い、外輪軌道面の真円度などが悪化し、振動・音響や耐久性などに悪影響を与えることが考えられる。また、この荷重は、隔壁２０ｃにも応力負荷として与えられる。
【００５９】
図３に示す電気自動車Ｃに搭載された２モータ式の車両駆動装置Ａにおける、アウトボード側からインボード側（車体内側）を見た場合の、減速機２Ｌの入力歯車軸２３Ｌ、中間歯車軸２４Ｌ、出力歯車軸２５Ｌの歯車の配置を図６に示す。入力歯車軸２３Ｌは出力歯車軸２５Ｌより車両前方に位置し、中間歯車軸２４Ｌは入力歯車軸２３Ｌおよび出力歯車軸２５Ｌより下方に位置している。ここで、減速機２Ｒについては、図６を鏡面対称とした関係となる。図６に示すように、歯車同士の回転噛み合わせ時に、転がり軸受内部には、ある周方向範囲にわたり、転動体と軌道輪間に荷重が作用する負荷圏が存在する。そして、最も荷重が大きいのが当該荷重作用線上である。図６には、どの方向に荷重作用線が生じるかを示している。また、図５にも同様にどの方向に荷重作用線が生じるかを示している。
【００６０】
そこで、この実施形態では、転がり軸受に作用する荷重の作用線とこの連通溝４５が交差しないようにして、減速機ケーシング２０の軸受嵌合穴の内周面に連通溝４５を設けている。同様に、隔壁２０ｃに形成する切り欠き２０ｄも転がり軸受に作用する荷重の作用線と交差しない位置に設けている。
【００６１】
次に、荷重の作用線につき、図６のギヤ配列を参照して説明する。この実施形態では、荷重作用線は以下に定義される。
【００６２】
ここで、入力歯車２３ａと大径歯車２４ａよるギヤ噛み合い列をＡ列、小径歯車２４ｂと出力歯車２５ａよるギヤ噛み合い列をＢ列とする。入力歯車軸２３Ｌの軸心をｘ、中間歯車軸２４Ｌの軸心をｙ、出力歯車軸２５Ｌの軸心をｚとする。
【００６３】
図６において、Ｌ１Ａ、Ｌ２Ａは、軸心ｘ、軸心ｙを結ぶ直線に垂直で、それぞれ、軸心ｘと軸心ｙを通る直線とする。Ｌ２Ｂ、Ｌ３Ｂは、軸心ｙ、軸心ｚを結ぶ直線に垂直で、それぞれ、軸心ｙと軸心ｚを通る直線とする。
【００６４】
入力歯車２３ａと大径歯車２４ａによるギヤ噛み合い、すなわち、ギヤ列Ａの噛み合いにより、加速時（ドライブ側）に、入力歯車軸２３Ｌの転がり軸受２８ａ、２８ｂに作用する荷重の作用線をＬ１Ｄとする。
【００６５】
入力歯車２３ａと大径歯車２４ａとのギヤ列Ａの噛み合いにより、減速時（コースト側）に、入力歯車軸２３Ｌの転がり軸受２８ａ、２８ｂに作用する荷重の作用線をＬ１Ｃとする。
【００６６】
入力歯車２３ａと大径歯車２４ａとのギヤ列Ａの噛み合いにより、加速時（ドライブ側）に、中間歯車軸２４Ｌの転がり軸受３４ａ、３４ｂに作用する荷重の作用線をＬ２ＤＡとする。
【００６７】
入力歯車２３ａと大径歯車２４ａとのギヤ列Ａの噛み合いにより、減速時（コースト側）に、中間歯車軸２４Ｌの転がり軸受３４ａ、３４ｂに作用する荷重の作用線をＬ２ＣＡとする。
【００６８】
小径歯車２４ｂと出力歯車２５ａによるギヤ列Ｂのギヤ噛み合い、すなわち、ギヤ列Ｂの噛み合いにより、加速時（ドライブ側）に、中間歯車軸２４Ｌの転がり軸受３４ａに作用する荷重の作用線をＬ２ＤＢとする。
【００６９】
小径歯車２４ｂと出力歯車２５ａとのギヤ列Ｂの噛み合いにより、減速時（コースト側）に、中間歯車軸２４Ｌの転がり軸受３４ａ、３４ｂに作用する荷重の作用線をＬ２ＣＢとする。
【００７０】
小径歯車２４ｂと出力歯車２５ａとのギヤ列Ｂの噛み合いにより、加速時（ドライブ側）に、出力歯車軸２５Ｌの転がり軸受３７ａ、３７ｂに作用する荷重の作用線をＬ３Ｄとする。
【００７１】
小径歯車２４ｂと出力歯車２５ａとのギヤ列Ｂの噛み合いにより、減速時（コースト側）に、出力歯車軸２５Ｌの転がり軸受３７ａ、３７ｂに作用する荷重の作用線をＬ３Ｃとする。
【００７２】
Ｌ１ＤとＬ１Ａとの間、Ｌ１ＣとＬ１Ａとの間は、それぞれ角度φをなす。
Ｌ２ＤＡとＬ２Ａとの間、Ｌ２ＣＡとＬ２Ａとの間は、それぞれ角度φをなす。
Ｌ２ＤＢとＬ２Ｂとの間、Ｌ２ＣＢとＬ２Ｂとの間は、それぞれ角度φ’をなす。
Ｌ３ＤとＬ３Ｂとの間、Ｌ３ＣとＬ３Ｂとの間は、それぞれ角度φ’をなす。
【００７３】
角度φおよびφ’は、歯車の歯面圧力角、歯面ねじれ角に基づいて、次式で与えられる。
ｔａｎφ＝ｔａｎα／ｃｏｓβ
ｔａｎφ’＝ｔａｎα’／ｃｏｓβ’
ここで、α、α’は、歯面圧力角、β、β’は、歯面ねじれ角である。
【００７４】
すなわち、荷重の作用線は、軸心位置と歯車諸元（圧力角とねじれ角）によって定義できる。この発明では、軸心位置と歯車諸元（圧力角とねじれ角）によって得られた荷重作用線と交差しない位置で、連通溝４５を１つ以上形成し、ギヤ空間Ｇ１と内部空間Ｇ２を連通させている。また、隔壁２０ｃに設ける切り欠き２０ｄも軸心位置と歯車諸元（圧力角とねじれ角）によって得られた荷重作用線と交差しない位置に設けている。
【００７５】
この発明は前述した実施形態に何ら限定されるものではなく、この発明の要旨を逸脱しない範囲において、さらに種々の形態で実施し得ることは勿論のことであり、本発明の範囲は、特許請求の範囲によって示され、さらに特許請求の範囲に記載の均等の意味、および範囲内の全ての変更を含む。
【符号の説明】
【００７６】
１Ｌ、１Ｒ      ：電動モータ
２Ｌ、２Ｒ      ：減速機
３Ｌ、３Ｒ      ：モータケーシング
３ａＬ、３ａＲ    ：モータケーシング本体
３ｂＬ、３ｂＲ    ：外側壁
３ｃＬ、３ｃＲ    ：内側壁
１１      ：ステータ
１２      ：ロータ
１２ａ    ：モータ軸
１３      ：シール部材
１４ａ、１４ｂ    ：転がり軸受
１５      ：等速ジョイント
１５ａ    ：外側継手部
１６      ：中間シャフト
２０      ：減速機ケーシング
２０ａ    ：中央ケーシング
２０ｃ    ：隔壁
２０ｄ    ：切り欠き
２０ｅ    ：肉ぬすみ
２０ｂＬ、２０ｂＲ  ：側面ケーシング
２１      ：仕切り壁
２３Ｌ、２３Ｒ    ：入力歯車軸
２３ａ    ：入力歯車
２４Ｌ、２４Ｒ    ：中間歯車軸
２４ａ    ：大径歯車
２４ｂ    ：小径歯車
２５Ｌ、２５Ｒ    ：出力歯車軸
２５ａ    ：出力歯車
２６Ｌ、２６Ｒ    ：ボルト
２７ａ、２７ｂ、３２ａ、３２ｂ、３５ａ、３５ｂ    ：軸受嵌合穴
２７ｃ    ：開口部
２８ａ、２８ｂ、３４ａ、３４ｂ、３７ａ、３７ｂ    ：転がり軸受
２９      ：ボルト
３１      ：オイルシール
３５ｃ    ：開口部
３９      ：オイルシール
４０      ：内輪
４１      ：外輪
４２      ：転動体
４２Ｃ    ：軸方向中心線
４５      ：連通溝
４６      ：周方向構
５１      ：シャーシ
５２      ：前輪
５３      ：後輪
Ａ        ：自動車用減速機付き車両駆動装置
Ｃ        ：電気自動車
Ｇ１      ：ギヤ空間
Ｇ２      ：内部空間
α、α’  ：歯面圧力角
β、β’  ：歯面ねじれ角
φ、φ’  ：角度
ｘ、ｙ、ｚ  ：軸心
Ｌ１Ｄ、Ｌ１Ｃ、Ｌ２ＤＡ、Ｌ２ＣＡ、Ｌ２ＤＢ、Ｌ２ＣＢ、Ｌ３Ｄ、Ｌ３Ｃ  ：荷重作用線
【図１】
0006670118.tif 000002
【図２】
0006670118.tif 000003
【図３】
0006670118.tif 000004
【図４】
0006670118.tif 000005
【図５】
0006670118.tif 000006
【図６】
0006670118.tif 000007
【図７】
0006670118.tif 000008
【図８】
0006670118.tif 000009
【図９】
0006670118.tif 000010
【図１０】
0006670118.tif 000011